(57)【要約】      （修正有）【課題】人生のエンディングにおける使用を目的とし、かつ自分の供養に関する情報及び自分の財産に関する事項についても記載可能に構成されたアルバムを提供する。【解決手段】表紙部１０と表紙部１０に綴じ込まれた綴じ込み部２０とを備える人生のエンディングの際に使用されるアルバム１００であって、綴じ込み部２０は、自分史が記載される自分史欄と、自分が希望する葬儀に関する事項が記入される葬儀欄と、自分が希望する葬儀後の供養の形態に関する事項が記入される供養欄と、自己が所有する財産の情報が記入される財産欄と、を備える。【選択図】図１
0003204468.tif 000002
【実用新案登録請求の範囲】
【請求項１】
表紙部と前記表紙部に綴じ込まれた綴じ込み部とを備える人生のエンディングの際に使用されるアルバムであって、
前記綴じ込み部は、自分史が記載される自分史欄と、自分が希望する葬儀に関する事項が記入される葬儀欄と、自分が希望する葬儀後の供養の形態に関する事項が記入される供養欄と、自己が所有する財産の情報が記入される財産欄と、を備えることを特徴とするアルバム。
【請求項２】
前記表紙部及び前記綴じ込み部の少なくとも一方は、少なくとも前記財産欄の記載内容について事実と相違がないことについて前記アルバムの作成者が宣誓したことが記載される欄であって、前記アルバムの作成者が署名する署名欄及び前記作成者の印鑑が捺印される捺印欄のうち少なくともいずれか一方の欄を備えることを特徴とする請求項１記載のアルバム。
【請求項３】
遺言が記入される遺言欄と、少なくとも前記遺言欄の記載について公証人による認証を受けたことが記載される公証欄と、を有することを特徴とする請求項１又は請求項２に記載のアルバム。
【請求項４】
前記綴じ込み部は、前記表紙部に綴じ込み可能に形成されたルーズリーフ形式に形成され、
ＣＤ、ＤＶＤなどの情報記憶媒体が収容される情報記憶媒体収容部を備えることを特徴とする請求項１から請求項３のいずれか１項に記載のアルバム。
【請求項５】
前記自分史欄には、作成者の氏名、住所、生年月日、出身地、人生年表、学校の思い出、及び仕事の思い出のそれぞれが記入される欄と、複数の名刺が貼付される名刺貼付欄と、を有し、
前記葬儀欄は、
葬式の規模、場所、及び宗教のそれぞれについて選択可能な複数の項目並びに前記複数の項目のそれぞれに対応するチェックボックスを有し、
遺影用の写真又は似顔絵が貼りつけられる遺影貼付欄と、棺、骨壺、祭壇、及び旅立ちの際の衣装のそれぞれについてイラストの記入又は写真の貼付が可能な棺欄、骨壺欄、祭壇欄、及び旅立ちの際の衣装欄と、「お礼状（メッセージ）」とのタイトルを有しお礼状の文面を記載可能なお礼状欄と、「思い出のコーナー」とのタイトルを有し思い出の品の写真が貼付される思い出の品欄と、「その他の演出・おもてなし」とのタイトルを有し少なくとも葬儀で流す音楽の音楽名、葬儀で上映する画像データが記録された記録媒体の保管場所、会食の食事の内容、及び返礼品名が記入可能な演出記載欄と、親類、友人、及び知人の連絡先が記入される連絡先欄と、を有することを特徴とする請求項１から請求項４のいずれか１項に記載のアルバム。
【考案の詳細な説明】
【技術分野】
【０００１】
本考案は、自分自身の人生のエンディングに利用されることを前提に、自分自身が希望するエンディングや、親族や友人などへのメッセージなどを伝えるために作成されるアルバムに関する。
【背景技術】
【０００２】
従来、自分で予め生前に自分自身の人生のエンディングを設計しておこうと考える人は多くはなかった。そのため、人生のエンディングでは、伝統の形式に則してワンパターン化された通夜や葬儀などが行われることが多かった。しかしながら、近年、人々の生活の価値観が多様化するにつれて、自分の人生のエンディングについても自分自身の希望に即したものとしたいと考える人々が増えている。  また、人生のエンディングの際には、自分自身の親族や友人に対する思いやメッセージを伝えたいと考える人々も多くなっている。
【０００３】
このような希望に対して、本出願に係る考案者は、自分史や、エンディング、伝えたいメッセージなどを１冊にまとめることができるとともに、漫画絵やイラスト、写真などをふんだんに盛り込むことができるアルバムを考案した（特許文献１参照）。
【先行技術文献】
【特許文献】
【０００４】
【特許文献１】実用新案登録公報第３１９１８２５号公報
【考案の概要】
【考案が解決しようとする課題】
【０００５】
上記特許文献１のアルバムによれば、自分が希望するエンディングや伝えたいメッセージについて、より容易かつ正確に親族などに伝えることができるが、これらのエンディングに関する事項およびメッセージに限定されず、お墓や仏壇などの自分の供養に関する事項や遺産相続に関する事項などについても予め自分の希望を書き残しておくことができれば、より一層便利である。
【０００６】
以上のような事情に鑑み、本考案では、人生のエンディングにおける使用を目的とし、かつ自分の供養に関する事項及び自分の財産に関する情報についても記載可能に構成されたアルバムを提供することを目的とする。
【課題を解決するための手段】
【０００７】
本考案では、表紙部と表紙部に綴じ込まれた綴じ込み部とを備える人生のエンディングの際に使用されるアルバムであって、綴じ込み部は、自分史が記載される自分史欄と、自分が希望する葬儀に関する事項が記入される葬儀欄と、自分が希望する葬儀後の供養の形態に関する事項が記入される供養欄と、自己が所有する財産の情報が記入される財産欄と、を備える。
【０００８】
また、表紙部及び綴じ込み部の少なくとも一方は、少なくとも財産欄の記載内容について事実と相違がないことについてアルバムの作成者が宣誓したことが記載される欄であって、アルバムの作成者が署名する署名欄及び作成者の印鑑が捺印される捺印欄のうち少なくともいずれか一方の欄を備えもよい。また、遺言が記入される遺言欄と、少なくとも遺言欄の記載について公証人による認証を受けたことが記載される公証欄と、を有してもよい。また、綴じ込み部は、表紙部に綴じ込み可能に形成されたルーズリーフ形式に形成され、ＣＤ、ＤＶＤなどの情報記憶媒体が収容される情報記憶媒体収容部を備えてもよい。また、自分史欄には、作成者の氏名、住所、生年月日、出身地、人生年表、学校の思い出、及び仕事の思い出のそれぞれが記入される欄と、複数の名刺が貼付される名刺貼付欄と、を有し、葬儀欄は、葬式の規模、場所、及び宗教のそれぞれについて選択可能な複数の項目並びに複数の項目のそれぞれに対応するチェックボックスを有し、遺影用の写真又は似顔絵が貼りつけられる遺影貼付欄と、棺、骨壺、祭壇、及び旅立ちの際の衣装のそれぞれについてイラストの記入又は写真の貼付が可能な棺欄、骨壺欄、祭壇欄、及び旅立ちの際の衣装欄と、「お礼状（メッセージ）」とのタイトルを有しお礼状の文面を記載可能なお礼状欄と、「思い出のコーナー」とのタイトルを有し思い出の品の写真が貼付される思い出の品欄と、「その他の演出・おもてなし」とのタイトルを有し少なくとも葬儀で流す音楽の音楽名、葬儀で上映する画像データが記録された記録媒体の保管場所、会食の食事の内容、及び返礼品名が記入可能な演出記載欄と、親類、友人、及び知人の連絡先が記入される連絡先欄と、を有してもよい。
【考案の効果】
【０００９】
本考案によれば、自分自身の供養や遺産相続など、自分自身の葬儀後に生じる事項に関するより多くの情報を漏らすことなくかつ容易に書き残すことができるとともに、これらの情報を一元管理することができる。
【図面の簡単な説明】
【００１０】
【図１】本考案に係るアルバムの実施形態の一例を示す斜視図である。
【図２】図１のアルバムの要部を示し、（ａ）は平面図、（ｂ）は（ａ）のＡ−Ａ線に沿った断面図である。
【図３】図１のアルバムの要部を示す平面図である。
【図４】綴じ込み部を示す概略分解図である。
【図５】自分史欄の一部を示す概略平面図である。
【図６】自分史欄の一部を示す概略平面図である。
【図７】自分史欄の一部を示す概略平面図である。
【図８】自分史欄の一部を示す概略平面図である。
【図９】葬儀欄の一部を示す概略平面図である。
【図１０】葬儀欄の一部を示す概略平面図である。
【図１１】葬儀欄の一部を示す概略平面図である。
【図１２】葬儀欄の一部を示す概略平面図である。
【図１３】葬儀欄の一部を示す概略平面図である。
【図１４】葬儀欄の一部を示す概略平面図である。
【図１５】葬儀欄の一部を示す概略平面図である。
【図１６】供養欄を示す概略平面図である。
【図１７】財産欄を示す概略平面図である。
【図１８】遺言欄を示す概略平面図である。
【図１９】公証欄を示す概略平面図である。
【考案を実施するための形態】
【００１１】
以下、本考案の実施形態について図面を参照しながら説明する。ただし、本考案はこれに限定されるものではない。また、図面においては実施形態を説明するため、一部分を大きくまたは強調して記載するなど適宜縮尺を変更して表現している。以下の図１〜図３は、ＸＹＺ座標系を用いて図中の方向を説明する。このＸＹＺ座標系においては、閉じられた状態のアルバムの上面や裏面に平行な平面をＸＺ平面とする。このＸＺ平面において長手方向をＸ方向と表記し、Ｘ方向に直交する方向をＺ方向と表記する。ＸＺ平面に垂直な方向（アルバムの厚さ方向）はＹ方向と表記する。Ｘ方向、Ｙ方向及びＺ方向のそれぞれは、図中の矢印の方向が＋方向であり、矢印の方向とは反対の方向が−方向であるものとして説明する。
【００１２】
実施形態に係るアルバムの一例について、図面を参照しながら主要な構成を説明する。図１は、実施形態に係るアルバム１００の閉じられた状態を示す斜視図である。アルバム１００は、アルバム１００の作成者（以下の説明では、「自分」とも称する。）の人生のエンディングに利用されることを前提に、自分が希望するエンディングや、自分の親族や友人などへメッセージ、自分が希望する供養、自分の財産の情報などを伝えるために作成されるアルバムである。アルバム１００は、図１に示すように、表紙部１０と、表紙部１０に綴じ込まれた綴じ込み部２０とを備える。
【００１３】
表紙部１０は、表側部１１と、裏側部１２と、表側部１１と裏側部１２とを互いに接続する接続部１０ａと、を備え、Ｘ方向から見て略コの字状に形成される。なお、表紙部１０は、このような略コの字状に代えて、例えば略Ｖ字状などであってもよい。閉じられた状態のアルバム１００において、表側部１１は綴じ込み部２０の表側（＋Ｙ側）に形成され、裏側部１２は綴じ込み部２０の裏側（−Ｙ側）に形成され、さらに、接続部１０ａは＋Ｚ側に形成される。このような表紙部１０は、例えば、厚紙や板状の樹脂などから形成される。
【００１４】
接続部１０ａには、後述する綴じ込み部２０の２つの綴じ込み穴２２ａ，２２ａ（図４参照）のそれぞれにＹ方向に挿通される不図示の２本の綴じ込みバーが設けられている。綴じ込み部２０は、綴じ込み穴２２ａに綴じ込みバーが挿通されることにより、表紙部１０に綴じ込まれる。      
【００１５】
図２は、アルバム１００のうち表紙部１０の表側部１１を示し、（ａ）は平面図、(ｂ）は（ａ）のＡ−Ａ線に沿った断面図である。表側部１１は、図２（ａ）に示すように、Ｙ方向から見た形状はＸ方向を長辺かつＺ方向を短辺とする矩形状となっている。なお、表側部１１のＹ方向から見た形状は、矩形状に代えて円形状や四角以外の多角形状など種々の形状であってよい。表側部１１は、図２（ａ）、（ｂ）に示すように、第１収容部１３を有している。第１収容部１３は、表側部１１に対して平行となる状態で写真が収容可能となっており、自分の顔写真ＦＰが収容されている。この顔写真ＦＰは、図２（ａ）、（ｂ）のそれぞれの矢印が示すように、第１収容部１３の−Ｘ側から＋Ｘ方向に挿入される。第１収容部１３の表側面１３ａには、一部の領域が矩形状に開口された開口部１４が設けられる。顔写真ＦＰは、この開口部１４を介して外部から視認される。このような表紙部１０の表側部１１の構成によれば、自分自身の顔写真ＦＰの一部をアルバム１００の表面に表示させることができる。
【００１６】
なお、開口部１４は、矩形状に代えて円形状や四角以外の多角形状など種々の形状であってよく、例えば顔の輪郭に沿って形成してもよい。また、第１収容部１３は、表側部１１に設けられなくてもよい。また、収容された顔写真ＦＰの表面を保護するために、開口部１４を透明のシートで覆うようにしてもよい。また、第１収容部１３には、顔写真ＦＰに代えて、自分の似顔絵やイラスト、自分の顔以外を被写体とする写真などが収容されてもよい。
【００１７】
図３は、アルバム１００のうち表紙部１０の裏側部１２を示す平面図である。なお、図３は、アルバム１００を＋Ｙ側から見た図であり、表側部１１及び綴じ込み部２０は透過して示している。裏側部１２は、Ｙ方向から見た形状及び大きさが表側部１１と同一に形成される。なお、表側部１１と裏側部１２とは、Ｙ方向から見た形状又は大きさが互いに異なってもよい。裏側部１２は、図３に示すように、＋Ｙ側に情報記憶媒体収容部１５を備える。この情報記憶媒体収容部１５は、ＣＤ、ＤＶＤなどの情報記憶媒体ＭＥが裏側部１２に対して平行となる状態で収容可能となっており、情報記憶媒体収容部１５には、情報記憶媒体ＭＥが収容されている。情報記憶媒体収容部１５は、例えば、不織布製や紙製の公知のディスクケースが裏側部１２の＋Ｙ側に接着されて形成される。情報記憶媒体ＭＥには、例えば、アルバム１００の情報の電子データが格納されている。このような裏側部１２の構成によれば、アルバムにＣＤ、ＤＶＤなどの情報記憶媒体ＭＥを容易に添付することができる。
【００１８】
なお、このような情報記憶媒体収容部１５は、裏側部１２の＋Ｙ側に設けられることに限定されず、例えば、裏側部１２の−Ｙ側に設けられてもよい。また、情報記憶媒体収容部１５は、アルバム１００において設けられなくてもよい。また、情報記憶媒体ＭＥに格納された情報の内容を伝えるために、裏側部１２の表面には、例えば「アルバムのデータはこのディスクの中にあります」などの文章が記載されてもよい。
【００１９】
なお、表紙部１０は、上記した構成に限定されず、綴じ込み部２０を綴じ込み可能な種々の構成が採用可能である。また、表側部１１は、上記した裏側部１２の構成としてもよく、裏側部１２は、上記した表側部１１の構成としてもよい。
【００２０】
図４は、アルバム１００の綴じ込み部２０を示す概略分解図である。綴じ込み部２０は、記入部２１と当該記入部２１が収容可能なポケット部２２とを有している。記入部２１は、例えば紙であり、所定の記載欄を備えている。ポケット部２２は、例えば、記入部２１が収容された状態で記入部２１の記載が目視可能となるように透明又は半透明のシート状の部材から形成されている。ポケット部２２は、開口２１ａを備え当該開口２１ａ介して記入部２１が収容可能な第２収容部２１ｂを有している。また、ポケット部２２は、２つの綴じ込み穴２２ａ，２２ａを有しており、綴じ込み穴２２ａ，２２ａに綴じ込みバー（不図示）が挿通された状態で表紙部１０に綴じ込まれる。これら２つの綴じ込み穴２２ａは、第２収容部２１ｂに隣接して設けられている。なお、アルバム１００において綴じ込み穴２２ａ，２２ａ及び綴じ込みバーは、それぞれ２つ設けられることに限定されず、１つ又は３つ以上設けられてもよい。
【００２１】
なお、アルバム１００は、上記構成に限定されない。例えば、綴じ込み部２０は、ポケット部２２を有さない構成であってもよい。この場合、綴じ込みバーが挿通可能な綴じ込み穴２２ａは記入部２１に設けられて、記入部２１が表紙部１０に綴じられる構成でもよい。また、綴じ込み部２０がポケット部２２を有さない構成の場合、アルバム１００は、一般的な書籍の構成のように、記入部２１の端部が接着剤等を介して接続部１０ａに固着される構成としてもよい。また、綴じ込み部２０は、ポケット部２２の端部が接着剤等を介して表紙部１０の接続部１０ａに固着される構成としてもよい。この場合、接続部１０ａにおいて綴じ込みバーは設けられない。また、表紙部１０は、綴じ込み部２０の＋Ｚ側の端部付近を厚さ方向（Ｙ方向）から挟み込んで綴じ込むバインダの機能を有する構成であってもよいし、複数のリングを備えかつ当該リングが貫通する穴が所定の位置に設けられた綴じ込み部２０を綴じ込むルーズリーフバインダの構成であってもよい。
【００２２】
綴じ込み部２０は、自分史欄２３と葬儀欄２４と供養欄２５と財産欄２６と遺言欄２７と公証欄２８とを有している。これら６つの欄２３〜２８のそれぞれは、１枚の記入部２１に形成されてもよいし、複数枚の記入部２１にわたって形成されてもよい。また、１枚の記入部２１において上記６つの欄２３〜２８の複数の欄が形成されてもよい。また、綴じ込み部２０において、遺言欄２７及び公証欄２８を設けるか否かは任意である。
【００２３】
次に、上記した６つの欄２３〜２８のそれぞれの欄の構成について説明する。
図５〜図８は、自分史欄２３の構成の一例を示す図である。自分史欄２３には、自分史が記入される。自分史欄２３は、例えば、図５〜図８に示すように（ａ）〜（ｍ）の１３ページにわたってこの順で記入部２１に設けられている。
【００２４】
図５（ａ）に示すように、自分史欄２３の１ページ目２３ａには、「想葬」との文字が縦書きで大きく配置された構成のタイトルＴが設けられ、このタイトルＴの右側には「自分の過去や大切な人への気持ちを振り返り、そこから葬儀を考える」との文字が縦書きで配置されている。
【００２５】
図５（ｂ）に示すように、自分史欄２３の２ページ目２３ｂには、「私の希望」との文字が横書きで配置された構成のタイトルＴが設けられ、このタイトルＴの下方には「家族へ、人生の終いをデザインしました」との文字が横書きで配置され、さらにその下方には、「自分の葬儀で使って欲しいものです！自分の思いをもとにデザインしてみました。この作品を使った葬儀にしてほしいです。このデザインノートに、自分史とともに作品を残します。」との文字が横書きで配置されている。また、これらの下方には、自分の氏名、住所、及び生年月日の記載欄Ｅ１が設けられ、さらにその下方には、作成開始の日付が記載される欄Ｅ２が設けられている。
【００２６】
図５（ｃ）に示すように、自分史欄２３の３ページ目２３ｃには、「生まれた場所」との文字が横書きで配置された構成のタイトルＴが設けられ、このタイトルＴの下方には自分の出身地を記載する欄Ｅ３、出身地がどんな所であるかについて記載する欄Ｅ４、及び本籍地を記載する欄Ｅ５が設けられている。さらにその下方には、横書きで配置された「写真や絵、イラストなどを貼ってください」との文字を有しかつ写真や絵、イラストなどが貼付可能な写真等貼付欄Ｐ１が設けられている。この写真等貼付欄Ｐ１には、例えば自分の出生地の写真やイラストなどが貼付される。
【００２７】
図５（ｄ）に示すように、自分史欄２３の４ページ目２３ｄには、「私の人生年表」との文字が横書きで配置された構成のタイトルＴが設けられ、このタイトルＴの下方には、それぞれ横書きで記載された「年月」、「年齢」、及び「出来事」の文字が横一列に並んで配置され、これらの文字の下方には、自分の人生における出来事、その出来事の年月、及びその時の自分の年齢が記入可能な年表記載欄Ｅ６が設けられている。この年表記載欄Ｅ６には、自分の人生年表が記入される。
【００２８】
図６（ｅ）に示すように、自分史欄２３の５ページ目２３ｅには、「私の思い出」との文字が横書きで配置された構成のタイトルＴが設けられ、このタイトルＴの下方には、それぞれ横書きで記載された「小学校」、「中学校」、「高校」、「大学」、「仕事」、「結婚」、及び「子供」の文字が上から下へこの順で縦１列に並んで配置され、これらの文字の右側には、自分の小学校時代の思い出、中学校時代の思い出、高校時代の思い出、大学時代の思い出、仕事での思い出、結婚についての思い出、及び自分の子供の思い出のそれぞれについての記入欄Ｅ７が設けられている。
【００２９】
図６（ｆ）に示すように、自分史欄２３の６ページ目２３ｆには、「小学校の思い出」との文字が横書きで配置された構成のタイトルＴが設けられている。このタイトルＴの下方には、枠線で囲われた領域内に「年」及び「歳の頃」との文字が記載された年及び歳記入欄Ｅ８が設けられている。この年及び歳記入欄Ｅ８は、小学校時代の思い出となった出来事が起きた時の年及び自分の年齢が記入される。また、その下方には、枠線で囲われた領域内に設けられかつ「思い出」との文字が横書きの態様で記載された思い出記入欄Ｅ９が設けられている。この思い出記入欄Ｅ９には、自分の小学校時代の思い出（学校の思い出）が記入される。さらに、その下方には、写真や絵、イラストなどが貼付可能な写真等貼付欄Ｐ２が設けられている。この写真等貼付欄Ｐ２の中央部分には、「写真や絵、イラストなどを貼ってください」との文字が横書きで記載されている。
【００３０】
図６（ｇ）に示すように、自分史欄２３の７ページ目２３ｇには、「中学校の思い出」との文字が横書きで配置された構成のタイトルＴが設けられている。このタイトルＴの下方には、年及び歳記入欄Ｅ８が設けられている。この年及び歳記入欄Ｅ８は、中学校時代の思い出となった出来事が起きた時の年及び自分の年齢が記入される。また、その下方には、思い出記入欄Ｅ９が設けられている。この思い出記入欄Ｅ９には、自分の中学校時代の思い出（学校の思い出）が記入される。さらに、その下方には、写真や絵、イラストなどが貼付可能な写真等貼付欄Ｐ２が設けられている。
【００３１】
図６（ｈ）に示すように、自分史欄２３の８ページ目２３ｈには、「高校の思い出」との文字が横書きで配置された構成のタイトルＴが設けられている。このタイトルＴの下方には、年及び歳記入欄Ｅ８が設けられている。この年及び歳記入欄Ｅ８は、高校時代の思い出となった出来事が起きた時の年及び自分の年齢が記入される。また、その下方には、思い出記入欄Ｅ９が設けられている。この思い出記入欄Ｅ９には、自分の高校時代の思い出（学校の思い出）が記入される。さらに、その下方には、写真や絵、イラストなどが貼付可能な写真等貼付欄Ｐ２が設けられている。
【００３２】
図７（ｉ）に示すように、自分史欄２３の９ページ目２３ｉには、「大学の思い出」との文字が横書きで配置された構成のタイトルＴが設けられている。このタイトルＴの下方には、年及び歳記入欄Ｅ８が設けられている。この年及び歳記入欄Ｅ８は、大学時代の思い出となった出来事が生じた時の年及び自分の年齢が記入される。また、その下方には、思い出記入欄Ｅ９が設けられている。この思い出記入欄Ｅ９には、自分の大学時代の思い出（学校の思い出）が記入される。さらに、その下方には、写真や絵、イラストなどが貼付可能な写真等貼付欄Ｐ２が設けられている。
【００３３】
図７（ｊ）に示すように、自分史欄２３の１０ページ目２３ｊには、「仕事の思い出」との文字が横書きで配置された構成のタイトルＴが設けられている。このタイトルＴの下方には、年及び歳記入欄Ｅ８が設けられている。この年及び歳記入欄Ｅ８は、仕事の思い出となった出来事が生じた時の年及び自分の年齢が記入される。また、その下方には、思い出記入欄Ｅ９が設けられている。この思い出記入欄Ｅ９には、自分の仕事の思い出が記入される。さらに、その下方には、写真や絵、イラストなどが貼付可能な写真等貼付欄Ｐ２が設けられている。
【００３４】
図７（ｋ）に示すように、自分史欄２３の１１ページ目２３ｋには、「私の仕事史」との文字が横書きで配置された構成のタイトルＴが設けられている。このタイトルＴの下方には、複数の名刺が貼付される名刺貼付欄Ｂが設けられている。名刺貼付欄Ｂは、名刺の外形寸法とほぼ同一の矩形形状の枠線を備え、当該枠の内側中央部分には「名刺を貼ってください」との文字が横書きで配置されている。自分史欄２３の１１ページ目２３ｋにおいて、名刺貼付欄Ｂは、例えば、６つ設けられ横２列かつ縦３列で配列されている。
【００３５】
図７（ｌ）に示すように、自分史欄２３の１２ページ目２３ｌには、「結婚の思い出」との文字が横書きで配置された構成のタイトルＴが設けられている。このタイトルＴの下方には、年及び歳記入欄Ｅ８が設けられている。この年及び歳記入欄Ｅ８は、結婚の思い出となった出来事が生じた時の年及び自分の年齢が記入される。また、その下方には、思い出記入欄Ｅ９が設けられている。この思い出記入欄Ｅ９には、自分の結婚の思い出が記入される。さらに、その下方には、写真や絵、イラストなどが貼付可能な写真等貼付欄Ｐ２が設けられている。
【００３６】
図８（ｍ）に示すように、自分史欄２３の１３ページ目２３ｍには、「子供の思い出」との文字が横書きで配置された構成のタイトルＴが設けられている。このタイトルＴの下方には、年及び歳記入欄Ｅ８が設けられている。この年及び歳記入欄Ｅ８は、自分の子供の思い出となった出来事が生じた時の年及び自分の年齢が記入される。また、その下方には、思い出記入欄Ｅ９が設けられている。この思い出記入欄Ｅ９には、自分の子供の思い出が記入される。さらに、その下方には、写真や絵、イラストなどが貼付可能な写真等貼付欄Ｐ２が設けられている。
【００３７】
図９〜図１５は、葬儀欄２４（図４参照）の構成の一例を示す図である。葬儀欄２４には、自分が希望する葬儀に関する事項が記入される。葬儀欄２４は、例えば、図９〜図１５に示すように（ａ）〜（ｍ）の１３ページにわたってこの順で記入部２１に記載されている。
【００３８】
図９（ａ）に示すように、葬儀欄２４の１ページ目２４ａには、「葬創」との文字が縦書きで大きく配置された構成のタイトルＴが設けられ、このタイトルＴの右側には「葬儀の形式ではなく、自分らしさを表現したオリジナルの葬儀をカタチにする」との文字が縦書きで配置されている。
【００３９】
図９（ｂ）に示すように、葬儀欄２４の２ページ目２４ｂには、縦に２段併記されかつそれぞれ横書きで配置された「自分らしい お葬式―」及び「自分で できることいろいろ。」との文字が記載されている。また、これらの文字の下方には、「人が亡くなったら必要なもの・・・実はこの４つだけ」との文字が記載されるとともに、黒塗りの円に「車」との白抜き文字、黒塗りの円に「棺」との白抜き文字、黒塗りの円に「骨壺」との白抜き文字、及び２つの黒塗り円が鎖状につながった形状に「死亡手続」との横書きされた白抜き文字が記載されている。この「死亡手続」との横書き文字の下方には、図示しないが、「役所へ死亡届を提出し、引き換えに火葬・埋葬許可証をもらいます。火葬の手続きをします。（死亡から２４時間以内は火葬不可）」との横書きされた文字が記載されている。また、上記した「車」の文字の下方には、図示しないが、「葬儀社の車でなくても、大事な人を自宅や火葬場へ運べます。謝礼として金銭を受け取らなければ、誰が運んでもだいじょうぶ。死亡診断書の携行が必要です。ただ、大事な人を失った直後の運転が可能かどうかは自分の心に聞いてみましょう。」との横書きされた文字が記載されている。また、これらに加えて、２ページ目２４ｂには、図示しないが、「これらがあれば、火葬までを済ますことができます。あとのものは、実はすべてがオプション。どのようなお別れを望んでいるかによって、必要なものが変わってきます。」及び『こんなに自分たちでできることがたくさん！「自分らしさ」を大切にする葬儀の形、葬儀社にすべてお任せではもったいないと思いませんか？  楽しいプランは、自分や家族みんなで作り上げよう―そんな考え方はいかがですか。』との横書きされた文字が記載されている。
【００４０】
図１０（ｃ）に示すように、葬儀欄２４の３ページ目２４ｃには、「私のお葬式設計」との文字が横書きで配置された構成のタイトルＴが設けられている。このタイトルＴの下方には、矩形状枠線内に配置されかつ「喪主は―」との文字の見出しＨが記載され、その下方に喪主の名前が記載される欄（スペース）が設けられている。また、その下方に、矩形状枠線内に配置されかつ「お葬式の規模は―」との文字の見出しＨが記載され、その下方には、「盛大に」、「標準的に」、及び「ひっそりと」との文字が横書きされた項目Ｉが記載され、それぞれの項目Ｉの左側にはチェックボックスＣが設けられている。そのため、本アルバム１００の作成者（自分）が希望する葬儀の規模についてアルバム１００に書き残したい場合には、これらの項目Ｉを選択しかつ選択した項目Ｉに対応するチェックボックスＣにチェックを入れるだけでよい。さらに、その下方には、矩形状枠線内に配置されかつ「宗教は―」との文字の見出しＨが記載され、その下方には、「仏教で」、「神道で」、「キリスト教で」、「無宗教で」との横書きされた項目Ｉが記載され、それぞれの項目Ｉの左側にはチェックボックスＣが設けられている。「仏教」の項目Ｉの右側には、「菩提寺（檀家になっているお寺がある）」及び「菩提寺はない」との項目Ｉ並びにそれぞれに対応するチェックボックスＣが記載されている。また、「菩提寺（檀家になっているお寺がある）」の項目Ｉの下方には、宗派・寺院名の記載欄及び連絡先を記載する欄が設けられている。そのため、本アルバム１００作成者が希望する葬儀に関する宗教についてアルバム１００に書き残したい場合には、これらの項目を選択しかつ対応するチェックボックスＣにチェックを入れるだけでよい。
【００４１】
図１０（ｄ）に示すように、葬儀欄２４の４ページ目２４ｄには、３ページ目に引き続き、自分が希望する葬式に関する見出しＨ、項目Ｉ、及び当該項目Ｉに対応するチェックボックスＣが記載されている。葬儀欄２４の４ページ目２４ｄには、矩形状枠線内に配置されかつ「戒名・法名は―」との文字の見出しＨが記載され、その下方に「生前戒名を持っている」及び「戒名は持っていない」との項目Ｉ及び対応するチェックボックスＣが記載されている。「生前戒名を持っている」の項目Ｉの右側には、戒名を記載する欄が設けられている。また、「戒名は持っていない」の項目Ｉの下方にはさらに、「いい戒名にしたい」、「戒名はいらない」、及び「普通の戒名でいい」の項目Ｉ及び対応するチェックボックスＣが記載されている。また、その下方には、矩形状枠線内に配置されかつ「場所は―」との文字の見出しＨが記載され、その下方に「自宅」、「寺院」、「公営のホール」、「民間のホール」、及び「その他」との項目Ｉ及び対応するチェックボックスＣが記載されている。さらに、これらの下方には、矩形状枠線内に配置されかつ「費用の準備は―」との文字の見出しＨが記載され、その下方に「準備していない」及び「保険や貯金で準備している」との項目Ｉ及び対応するチェックボックスＣが記載されている。また、「保険や貯金で準備している」との項目Ｉの下方には、その具体的内容を記載する欄が設けられている。４ページ目２４ｄについても、３ページ目２４ｃと同様に、本アルバム１００の作成者により適宜項目Ｉが選択され、選択された項目Ｉに対応するチェックボックスＣにはチェックが入れられる。なお、後述する５、６、８、９、１１、１２ページ目２４ｅ，２４ｆ，２４ｈ，２４ｉ，２４ｋ，２４ｌの各項目Ｉ及びチェックボックスＣについても同様である。
【００４２】
図１１（ｅ）に示すように、葬儀欄２４の５ページ目２４ｅには、「遺影」との文字が横書きで配置された構成のタイトルＴが設けられている。このタイトルＴの下方には、「自分でも気に入っていることはもちろん、家族から見てもあなたらしいと思えるものを。お気に入りのシチュエーションと服でご家族に撮ってもらったり、もちろん、額は黒縁でなくてもかまいません。」との文字が横書きで記載されている。また、その下方には、自分の遺影用の写真又は似顔絵が貼りつけられる遺影貼付欄Ｐ３が設けられている。この遺影貼付欄Ｐ３は、中央部分に「気に入っている写真や似顔絵を貼ってください」との文字が横書きで記載されている。また、遺影貼付欄Ｐ３の右側には、「遺影写真は準備していますか？」との文字が横書きで記載されており、その下に「撮影写真を準備している」、「今はないが、これから準備したい」、及び「遺影写真は家族にまかせる」の各項目Ｉ並びにこれらの項目Ｉに対応するチェックボックスＣが設けられている。
【００４３】
図１１（ｆ）に示すように、葬儀欄２４の６ページ目２４ｆには、「棺」との文字のタイトルＴが設けられている。このタイトルＴの下方には、『自分で買うことができる棺があります。最後に自分が入る棺は、葬儀の主役ともいえます。布を貼ることができたり、絵を描けたりと表面へのアレンジが可能な棺を選んで、「自分だけの」棺が作れます。』との文字が横書きで記載されている。また、その下方には、自分が希望する棺のイラストの記入あるいは写真の貼付が可能な棺欄Ｐ４が設けられている。また、棺欄Ｐ４の右側には、「私の希望」との文字が横書きで記載されており、その下に「豪華」、「標準的」、及び「質素」の各項目Ｉ並びにこれらの項目Ｉに対応するチェックボックスＣが設けられている。
【００４４】
図１２（ｇ）に示すように、葬儀欄２４の７ページ目２４ｇには、「骨壺」との文字が横書きで配置された構成のタイトルＴが設けられている。このタイトルＴの下方には、「東京の火葬場で火葬を行う場合は白い骨壺を渡され、それを使わなければなりません。もちろん、あとで好みの容器に入れ替えたり、カバーを替えたりしてもかまいません。白い壺そのものに加工を施しても素敵です。」との文字が横書きで記載されている。また、その下方には、自分が希望する骨壺のイラストの記入あるいは写真の貼付が可能な骨壺欄Ｐ５が設けられている。
【００４５】
図１２（ｈ）に示すように、葬儀欄２４の８ページ目２４ｈには、「祭壇」との文字が横書きで配置された構成のタイトルＴが設けられている。このタイトルＴの下方には、『よく見るような白木の祭壇を思い出させてしまいますよね。でも、「主役の棺を際立たせるもの」とすると、いかがでしょう。「棺を主役にして、好きなランをあしらった花祭壇なんてはどう？」―などと自由にあなたらしく、デザインしてみてください。』との文字が横書きで記載されている。また、その下方には、自分が希望する骨壺のイラストの記入あるいは写真の貼付が可能な祭壇欄Ｐ６が設けられている。また、祭壇欄Ｐ６の右側には、「私の希望」との文字が横書きで記載されており、その下に「豪華」、「標準的」、及び「質素」の各項目Ｉ並びにこれらの項目Ｉに対応するチェックボックスＣが設けられている。さらに、その下方には、「祭壇にたくさん花を飾ってほしい」との項目Ｉ及びこれに対応するチェックボックスＣ、花の名前を記入可能な欄も設けられている。
【００４６】
図１３（ｉ）に示すように、葬儀欄２４の９ページ目２４ｉには、「旅立ちの衣装」との文字が横書きで配置された構成のタイトルＴが設けられている。このタイトルＴの下方には、「最近では、伝統的な死装束ではなく、自分の気に入った服を 旅立ちの衣装 にする人も増えているようです。」との文字が横書きで記載されている。また、その下方には、自分が希望する旅立ちの際の衣装のイラストの記入あるいは写真の貼付が可能な衣装欄Ｐ７が設けられている。また、衣装欄Ｐ７の右側には、「私の希望」との文字が横書きで記載されており、その下に「伝統的な死装束がいい」、「着たい服がある」、及び『特に「これを着たい」という希望はないがあまり伝統的な白装束は好まない』の各項目Ｉ並びにこれらの項目Ｉに対応するチェックボックスＣが設けられている。さらに、上記「着たい服がある」の項目の下方には、服の特徴と組み合わせについて記入可能な記入欄及び保管場所について記入可能な記入欄も設けられている。
【００４７】
図１３（ｊ）に示すように、葬儀欄２４の１０ページ目２４ｊには、「お礼状（メッセージ）」との文字が横書きで配置された構成のタイトルＴが設けられている。このタイトルＴの下方には、「定型のお礼状に一言添えるだけでも、自分らしさを表せます。オリジナル礼状のサービスを利用したり、お気に入りの便箋・封筒を用意し、自分で作っておくことも可能です。」との文字が横書きで記載されている。また、その下方には、自分が希望するお礼状（メッセージ）の文面や内容が記入されるお礼状欄Ｅ１０が設けられている。
【００４８】
図１４（ｋ）に示すように、葬儀欄２４の１１ページ目２４ｋには、「思い出のコーナー」との文字が横書きで配置された構成のタイトルＴが設けられている。このタイトルＴの下方には、『立派なものを見せる必要はありません。お気に入りのゴルフクラブ、いつも身につけるステッキ、帽子など「あっ、これよく持ってたよね。懐かしい〜」と参列者同士の会話がはずむようなものを並べるのがおすすめです。』との文字が横書きで記載されている。また、その下方には、自分が飾って欲しい思い出の写真が貼付される思い出の品欄Ｐ８が設けられている。また、思い出の品欄Ｐ８の右側には、「私の希望」との文字が横書きで記載されており、その下に「飾って欲しい物がある」、「飾って欲しい物は特にない」の各項目Ｉ並びにこれらの項目Ｉに対応するチェックボックスＣが設けられている。さらに、上記「飾って欲しい物がある」の項目Ｉの下方には、具体的な物について記入可能な記入欄及び保管場所について記入可能な記入欄も設けられている。
【００４９】
図１４（ｌ）に示すように、葬儀欄２４の１２ページ目２４ｌには、「その他の演出・おもてなし」との文字が横書きで配置された構成のタイトルＴが設けられている。このタイトルＴの下方には、矩形状枠線内に配置されかつ「音楽」との文字の見出しＨが記載され、その下方には、「ＢＧＭにする曲を自分でセレクト。曲によっては雰囲気が一気に壊れてしまうこともありますから、実際に流れている場面をイメージしながら選びましょう。」との文字が横書きで記載されている。また、その下方には、「好きな音楽を流してほしい」との文字の項目Ｉとその左側に配置されたチェックボックスＣとが設けられている。さらに、その下方には、矩形状枠線内に配置されかつ「お別れＤＶＤ」との文字の見出しが記載され、その下方には、「ポイントは、参列してくれる人が写っている写真を意識して織り交ぜること。会場で想い出を分け合うことができます。」との文字が横書きで記載されている。また、その下方には、「生前に撮ったビデオや写真などで演出してほしい」との文字の項目Ｉとその左側に配置されたチェックボックスＣとが設けられている。その下方には、上記した生前に撮ったビデオや写真の保管場所の記入欄が設けられている。さらに、その下方には、矩形状枠線内に配置されかつ「会食」との文字の見出しが記載され、その下方に「豪華」、「標準的に」、及び「質素」との文字が横書きされた項目Ｉが記載され、それぞれの項目Ｉの左側にはチェックボックスＣが設けられている。また、上記「会食」の見出しの右側には、矩形状枠線内に配置されかつ「返礼品」との文字の見出しＨが記載され、その下方に「豪華」、「標準的に」、及び「質素」との文字が横書きされた項目Ｉが記載され、それぞれの項目Ｉの左側にはチェックボックスＣが設けられている。上記した葬儀欄２４の１２ページ目２４ｌは、演出記載欄Ｅ１１であり、自分の葬儀で流す音楽の音楽名、自分の葬儀で上映する画像データが記録された記録媒体の保管場所、自分の葬儀における会食の食事の内容、及び返礼品名が記入される。
【００５０】
図１５（ｍ）に示すように、葬儀欄２４の１３ページ目２４ｍには、「親類・友人・知人の連絡先」との文字が横書きで配置された構成のタイトルＴが設けられている。このタイトルＴの下方には、連絡先欄Ｅ１２が設けられており、自分の親類、友人、及び知人の連絡先が記入される。
【００５１】
図１６は、供養欄２５の構成の一例を示す図である。供養欄２５には、自分が希望する葬儀後の供養の形態に関する事項が記入される。供養欄２５は、例えば、図１６に示すように（ａ）、（ｂ）の２ページにわたってこの順で記入部２１に設けられている。
【００５２】
図１６（ａ）に示すように、供養欄２５の１ページ目２５ａには、「供養編」との文字が横書きで大きく配置された構成のタイトルＴが設けられ、このタイトルＴの下方には「お墓」との文字が横書きで配置された構成の項目Ｉが記載されており、その下方には、自分が希望するお墓が記入されるお墓欄２５Ａが設けられている。お墓欄２５Ａは、例えば、自分が希望するお墓の場所やデザインについて文字で記入する欄と、そのイメージのイラストや写真などが貼付される欄Ｐ９とを有している。
【００５３】
また、図１６（ｂ）に示すように、供養欄２５の２ページ目２５ｂには、「埋葬」との文字が横書きで配置された構成の項目Ｉが記載されており、その下方には、自分が希望する埋葬の形態が記入される埋葬欄２５Ｂが設けられている。さらに、その下方には、「仏壇」との文字が横書きで配置された構成の項目Ｉが記載されており、その下方には、自分が希望する仏壇について記入される仏壇欄２５Ｃが設けられている。仏壇欄２５Ｃは、例えば、自分が希望する仏壇の場所やデザインについて文字で記入する欄と、そのイメージのイラストや写真などが貼付される欄とを有している。
【００５４】
図１７は、財産欄２６の構成の一例を示す図である。財産欄２６には、自己が所有する財産の情報が記入される。財産欄２６は、例えば、図１７に示すように（ａ）、（ｂ）の２ページにわたってこの順で記入部２１に記載されている。
【００５５】
図１７（ａ）に示すように、財産欄２６の１ページ目２６ａには、「財産」との文字が横書きで大きく配置された構成のタイトルＴが設けられている。このタイトルＴの下方には、財産情報欄Ｅ１３が設けられている。この財産情報欄Ｅ１３は、例えば、図１７（ａ）（ｂ）に示すように、次ページ２６ｂまで設けられている。財産情報欄Ｅ１３は、例えば、預貯金や、借入金、不動産、保険などの財産情報について、それぞれの項目に分けて記入可能となっている。預貯金の記入欄には、例えば、金融機関名、口座情報、残高が記入される。不動産の記入欄には、例えば、所在する住所が記入される。保険の記入欄には、例えば、自分が加入している保険の内容や、自分が死亡した際の保険金の受取人名が記入される。
【００５６】
図１７（ｂ）に示すように、財産欄２６の末尾には、例えば、「以上の内容は、真実のみに基づいて作成されたことを宣誓し、署名します。」との文字が横書きされた構成の宣誓文Ｄが記載され、その下方には、日付欄、署名欄Ｓ、及び捺印欄Ｍを備える宣誓欄２６Ａが設けられている。この宣誓欄２６Ａは、少なくとも財産欄２６の記載内容について、事実と相違がないことについてアルバム１００の作成者が宣誓したことを記載するための欄である。署名欄Ｓ及び捺印欄Ｍには、アルバム１００の作成者の署名及び捺印がされる。また、その日付が日付欄に記載される。なお、アルバム１００において、このような宣誓欄２６Ａが設けられるか否かは任意である。また、宣誓欄２６Ａには、署名欄Ｓ及び捺印欄Ｍのいずれか一方の欄は設けられなくてもよい。また、宣誓欄２６Ａは、上記したように財産欄２６の下方に設けられることに限定されず、綴じ込み部２０における他の箇所や表紙部１０の表面に設けられてもよい。
【００５７】
図１８は、遺言欄２７の構成の一例を示す図である。遺言欄２７には、自分の遺言が記入される。図１８に示すように、遺言欄２７には、例えば「遺言欄」との文字が横書きで大きく配置された構成のタイトルＴが設けられている。このタイトルＴの下方には、記入欄Ｅ１４が設けられている。この記入欄Ｅ１４には、自分の遺言が具体的に記入される。遺言の内容としては、例えば、遺産の相続や、葬儀を託したい人などが記入される。記入欄Ｅ１４の下方には、例えば、日付欄Ｙ、署名欄Ｓ、及び捺印欄Ｍが設けられている。なお、アルバム１００において、このような遺言欄２７を設けるか否かは任意である。
【００５８】
図１９は、公証欄２８の構成の一例を示す図である。公証欄２８には、少なくとも遺言欄２７の記載について公証人による認証を受けたことが記載される。図１９に示すように、公証欄２８には、例えば「公証」との文字が横書きで大きく配置された構成のタイトルＴが設けられている。このタイトルＴの下方には、記入欄Ｅ１５が設けられている。記入欄Ｅ１５には、公証人の氏名や公証の日付などが記入される。なお、アルバム１００において、このような公証欄２８を設けるか否かは任意である。また、公証欄２８は、遺言欄２７と同一ページに設けられてもよい。
【００５９】
続いて、アルバム１００への記入方法の一例について説明する。
記入部２１として手書き用紙が用いられる場合、アルバム１００の各欄における文字記載部分への記入は、アルバム１００の作成者の手書きにより記入される。
【００６０】
また、上記した手書きに代えて、綴じ込み部２０の各欄に記載された電子データにおいてアルバム１００に記入する情報の電子データを入力して、これを印刷により出力させることで、文字記載部分への記入が行われてもよい。この場合、印刷された用紙が表紙部１０に綴じられることで、アルバム１００が形成される。また、この場合、印刷された電子データの情報が格納された情報記録媒体ＭＥがアルバム１００に添付されてもよい。さらに、この場合、綴じ込み部２０がルーズリーフ形式に形成される場合には、アルバム１００に記入した情報を更新する際には、更新されたデータを紙に印刷しその印刷紙をポケット部２２の第２収容部２１ｂ（図４参照）に収容された更新前の用紙と差し替えるようにしてもよい。この際、アルバム１００には、更新データが上書きされた情報記録媒体ＭＥが添付されてもよい。
【００６１】
以上、本考案の実施形態について説明したが、本考案は、上記した説明に限定されるものではなく、本考案の要旨を逸脱しない範囲において種々の変更が可能である。例えば、綴じ込み部２０の各欄には、タイトルＴの内容に関連したイラストや漫画が記載されてもよい。
【符号の説明】
【００６２】
１０…表紙部
２０…綴じ込み部
２３…自分史欄
２４…葬儀欄
２５…供養欄
２６…財産欄
１００…アルバム
Ｂ…名刺貼付欄
Ｃ…チェックボックス
Ｅ１…お礼状欄
Ｅ１１…演出記載欄
Ｅ１２…連絡先欄
Ｍ…捺印欄
Ｐ３遺影貼付欄
Ｐ４…棺欄
Ｐ５…骨壺欄
Ｐ６…祭壇欄
Ｐ７…衣装欄
Ｓ…署名欄
【図１】
0003204468.tif 000003
【図２】
0003204468.tif 000004
【図３】
0003204468.tif 000005
【図４】
0003204468.tif 000006
【図５】
0003204468.tif 000007
【図６】
0003204468.tif 000008
【図７】
0003204468.tif 000009
【図８】
0003204468.tif 000010
【図９】
0003204468.tif 000011
【図１０】
0003204468.tif 000012
【図１１】
0003204468.tif 000013
【図１２】
0003204468.tif 000014
【図１３】
0003204468.tif 000015
【図１４】
0003204468.tif 000016
【図１５】
0003204468.tif 000017
【図１６】
0003204468.tif 000018
【図１７】
0003204468.tif 000019
【図１８】
0003204468.tif 000020
【図１９】
0003204468.tif 000021